(57)【要約】【課題】従来、酸素を浴室に供給して、快適な入浴を楽しもうとした場合、ジェットバスシステム等の大掛かりなシステムが必要であるという課題を有していた。【解決手段】殆どの家庭で設置している、ポンプにより浴槽の湯が循環する追い焚き循環回路を有する給湯機の前記追い焚き循環回路１９に、芳香剤により芳香をつけた、酸素富化装置２５からの高濃度の芳香付き酸素を混入させ、浴槽２０に取り付けられている追い焚きアダプタ２１より噴出させる構成とすることで、安価に取りつけでき、かつ循環流量も少ないので、長時間の芳香付き酸素供給が可能な装置を提供する構成としたものである。【選択図】  図１
2004324959.tif 000002
【特許請求の範囲】
【請求項１】
ポンプにより浴槽の湯を循環する追い焚き循環回路と、前記浴槽に設けた追い焚きアダプタと、高濃度の酸素を供給する酸素富化装置と、前記酸素富化装置からの酸素に芳香剤を供給する芳香剤供給手段と、前記酸素富化装置からの芳香付き酸素を前記追い焚き循環回路に混入させる混入手段とを有し、前記追い焚き循環回路に混入させた芳香付き酸素を前記追い焚きアダプタより噴出させる構成とした酸素富化給湯装置。
【請求項２】
芳香剤供給手段には、給湯機本体ケースに小扉を設け、芳香剤補充手段を有する構成とした請求項１記載の酸素富化給湯装置。
【請求項３】
芳香剤供給手段および混入手段として、追い焚き循環回路に絞り部を設け、前記絞り部により生ずる負圧によって酸素に芳香剤を供給すると共に、芳香付き酸素を前記追い焚き循環回路に混入させる構成とした請求項１記載の酸素富化給湯装置。
【請求項４】
芳香剤供給手段および混入手段として、加圧または減圧手段である酸素富化膜用ポンプの圧力を利用して、高濃度の酸素に芳香剤を供給すると共に、追い焚き循環回路に芳香付き酸素を混入させる構成とした請求項１記載の酸素富化給湯装置。
【発明の詳細な説明】
【０００１】
【発明の属する技術分野】
本発明は追い焚き循環回路を有する給湯機の追い焚き配管を利用して、浴槽内の湯水中に芳香付き酸素を供給する機能を有する給湯装置に関するものである。
【０００２】
【従来の技術】
従来、この種の酸素供給装置は図３に示すように、ジェットバス等の浴槽１に浴槽水を循環させる管路２に気体を供給する供給部３を設け、この供給部３に酸素富化空気を供給するための酸素富化装置７を設けることで、循環ポンプ８により吸入口４から吸入した浴槽水を循環させ、その途中で酸素富化装置７より供給される気体を混入させて吐出口５より浴槽１内に供給するようにしている（例えば特許文献１参照）。
【０００３】
【特許文献１】
特開平４−２３４７号公報
【０００４】
【発明が解決しようとする課題】
しかしながら、上記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することができないという課題を有していた。
【０００５】
本発明は上記従来の課題を解決するもので、一般的な風呂給湯装置、すなわちポンプにより浴槽の湯が循環する追い焚き循環回路を有する給湯機の追い焚き循環回路に、酸素富化装置からの高濃度の芳香付き酸素を混入させ、浴槽に取り付けられている追い焚きアダプタより噴出させる構成とすることで、安価に取り付けができ、かつ循環流量も少ないので、長時間の酸素供給も可能な装置を提供することを目的とする。
【０００６】
【発明を解決するための手段】
上記従来の課題を解決するために本発明の酸素富化給湯装置は、ポンプにより浴槽の湯が循環する追い焚き循環回路と、前記浴槽に設けた追い焚きアダプタと、高濃度の酸素を供給する酸素富化装置と、前記酸素富化装置からの高濃度の酸素に芳香剤を供給する芳香剤供給手段と、前記酸素富化装置からの高濃度の芳香付き酸素を追い焚き循環回路に混入させる混入手段とを有し、前記追い焚き循環回路に混入させた高濃度の芳香付き酸素を前記追い焚きアダプタより噴出させる構成としたものである。
【０００７】
上記発明によれば、常に使用する追い焚き装置に酸素富化装置を追加するだけで、より高濃度の芳香付き酸素を簡単に得ることができるようになる。
【０００８】
【発明の実施の形態】
請求項１に記載の発明は、ポンプにより浴槽の湯が循環する追い焚き循環回路と、前記浴槽に設けた追い焚きアダプタと、高濃度の酸素を供給する酸素富化装置と、前記酸素富化装置からの高濃度の酸素に芳香剤を供給する芳香剤供給手段と、前記酸素富化装置からの高濃度の芳香付き酸素を追い焚き循環回路に混入させる混入手段とを有し、前記追い焚き循環回路に混入させた高濃度の芳香付き酸素を前記追い焚きアダプタより噴出させる構成としたことを特徴とするものであり、この構成により、混入手段によって酸素富化装置からの高濃度の芳香付き酸素は追い焚き配管の中の湯または水に混入され、この酸素が混入された湯または水が浴槽に取りつけた追い焚きアダプタから噴出するときに、高濃度の芳香付き酸素が気泡となって浴槽水の中を通過し、その後浴室内に充満するようになる。
【０００９】
この結果、入浴中の人が高濃度の酸素を吸いながら湯につかることで、温浴効果を促進したり、居眠りを防止したりできる。また、好みの芳香を浴室内に充満させることでアロマセラピーの効果も期待できる。
【００１０】
さらに、浴槽水の中に酸素が溶け込むことにより雑菌の発生を抑え、ぬめりや臭いを減少させる効果も期待できる。そして、この構成であれば、給湯機のケーシングの中に納まるので余分なスペースも不要となり、安価に作成ができるため、一般の家庭への設置も可能である。
【００１１】
請求項２に記載の発明は、芳香剤補充手段として、給湯機本体ケースに小扉を設けたもので、芳香剤がなくなった場合にユーザーが簡単に芳香剤の補充を行うことができる。
【００１２】
請求項３に記載の発明は、芳香剤供給手段および混入手段として、追い焚き循環回路に絞り部を設け、前記絞り部により生ずる負圧によって高濃度の酸素に芳香剤を供給すると共に、高濃度の芳香付き酸素を前記追い焚き循環回路に混入させる構成としたもので、可動部が不要なため非常に簡単な構成にすることが可能となる。
【００１３】
請求項４に記載の発明は、芳香剤供給手段および混入手段として、酸素富化膜用ポンプによる加圧または減圧手段の圧力を利用して、高濃度の酸素に芳香剤を供給すると共に、追い焚き循環回路に高濃度の芳香付き酸素を混入させる構成としたもので、空気の吸込み量は減少するが、絞りを設ける必要がないので流量の減少を防げるものである。
【００１４】
【実施例】
（実施例１）
図１は、本発明の第１の実施例における酸素富化給湯装置の全体構成図を示すものである。９は給湯装置本体である。１０は熱交換器１２を加熱するバーナ、１１はバーナ１０に燃焼空気を送るバーナファン、１３は燃焼空気の排気口、１４は給湯回路で、給湯入口１５から入った水が熱交換器１２で加熱されて給湯出口１６から出、カラン１７等から吐出される。１８は、追焚き循環回路１９に設けられた風呂ポンプで、これから出た循環水は熱交換器１２で加熱された後、混入手段２７で酸素富化空気を混入される。この場合、混入手段としてエゼクターのような循環水に対する絞りを設けて空気を吸引する構成を用いることで、流れに負圧を発生させて酸素富化空気を混入させれば多量の空気を入れることができ、効果が大きい。また、循環水に対する絞りを用いないで、そのまま真空ポンプの圧力で混入することも可能であり、この場合は効果はやや小さくなるが、絞り部構成は不要であり、構成は簡単になる。
【００１５】
ここで、加熱された後で酸素富化空気を混入するのは、加熱される以前に混入すると、熱交換器１２を通過中に異常音が発生したり、熱交換器１２の腐食を促進したりする恐れがあるからである。２０は浴槽で２１は追い焚きアダプタである。２２は酸素富化膜、２３は空気を減圧して酸素富化膜の間に空気を通し、高酸素濃度の空気を得るための真空ポンプ、２４は酸素富化膜に新鮮空気を送るための送風ファンであり、この２２、２３、２４の３つで酸素富化装置２５を構成している。
【００１６】
この真空ポンプ２３は酸素富化膜の下流側に配置されているので、酸素富化装置の薄い膜がフィルターの役目をし、真空ポンプ２３にごみが詰まる恐れが無く真空ポンプ用のフィルターは不要である。２６は芳香剤供給手段で、芳香剤を入れるケースからパイプが出ており、このパイプで真空ポンプ２３の上流に接続される。
【００１７】
以上のように構成された酸素富化給湯装置について、以下その動作・作用を説明する。真空ポンプ２３の負圧により芳香剤供給手段２６内の気化した芳香剤は酸素富化膜２２から出てきた高濃度の酸素に混入される。そして、混入手段２７によって酸素富化装置２５からの高濃度の芳香付き酸素は追い焚き循環回路１９の中の湯または水に混入され、この芳香付き酸素が混入された湯または水が浴槽２０に取りつけた追い焚きアダプタ２１から噴出するときに、高濃度の芳香付き酸素が気泡２８となって浴槽水の中を通過し、その後浴室内に充満するようになる。
【００１８】
この結果、入浴中の人が高濃度の芳香付き酸素を吸いながら湯につかることで、温浴効果を促進したり、居眠りを防止したりできる。また、好みの芳香を浴室内に充満させることでアロマセラピーの効果も期待できる。さらに、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００１９】
また、図２に示すように、芳香剤補充手段として、給湯機本体ケース９に小扉３２を設けることにより、芳香剤がなくなった場合にユーザーが簡単に芳香剤の補充を行うことができる。
【００２０】
また、前記エゼクターの絞り部により生ずる負圧を利用して、芳香剤供給手段２６からの芳香剤を酸素富化膜２２からの高濃度の酸素に混入すると共に、高濃度の芳香付き酸素を追い焚き循環回路１９に混入させる構成とすることで、混入空気の量は減少するが、真空ポンプ２３が不要となり、可動部が不要なため非常に簡単な構成にすることが可能となる。
【００２１】
【発明の効果】
以上のように本発明によれば、入浴中の人が高濃度の芳香付き酸素を吸いながら湯につかることで、温浴効果を促進したり、居眠りを防止したりできる。また、好みの芳香を浴室内に充満させることでアロマセラピーの効果も期待できる。さらに、浴槽水の中に酸素が溶け込むことにより雑菌の発生を押さえ、ぬめりや臭いを減少させる効果も期待できる。そして、この構成であれば、給湯機のケーシングの中に納まるので余分なスペースも不用であると共に、安価に作成も可能であるため、一般の家庭への設置も可能となるものである。
【図面の簡単な説明】
【図１】本発明の実施例１における酸素富化給湯装置の全体構成図
【図２】同酸素富化給湯装置の外観図
【図３】従来の酸素供給装置の全体構成図
【符号の説明】
１８  ポンプ
１９  追い焚き循環回路
２０  浴槽
２１  追い焚きアダプタ
２５  酸素富化装置
２６  芳香剤供給手段
２７  混入手段
３２  芳香剤補充手段
【図１】
2004324959.tif 000003
【図２】
2004324959.tif 000004
【図３】
2004324959.tif 000005